(57)【特許請求の範囲】
【請求項１】
駆動装置、エレベータカー、該エレベータカーをシャフト中で走行させるエレベータ機構、エレベータ制御部および保守システムを備えた少なくとも１つのエレベータを含み、該保守システムは、前記制御部に直接またはインタフェースを介して結合可能であり、エレベータ装置の保守のためのデータメモリへアクセスするエレベータ装置において、
前記データメモリは、該エレベータにおける、類似した保守計画を有するハードウエア要素または、空間的および/若しくは技術的に結合されるハードウエア要素がまとめられた群、および該群毎に割り当てられたあらかじめ定義された保守計画のデータを記憶するメモリ域を含み、
前記エレベータのハードウエア要素はセンサを有し、
前記保守システムおよび/または制御部は、該エレベータのハードウエア要素からセンサ信号を受信して、前記ハードウエア要素の群についての、および該ハードウエア要素の保守時点と密に接近しているハードウエア要素の群についての少なくとも次の保守時点が、該センサ信号に応じて可変であることを特徴とするエレベータ装置。
【請求項２】
請求項１に記載のエレベータ装置において、該装置は、前記ハードウエア群に関連して生じる保守作業を、該群のためのメモリ域または該メモリ域に所属する第２のメモリ域に記録することを特徴とするエレベータ装置。
【請求項３】
請求項１または２に記載のエレベータ装置において、前記保守システムは、前記メモリ域に所属する時間データを生成させる生成ユニットを備えることを特徴とするエレベータ装置。
【請求項４】
請求項１に記載のエレベータ装置において、前記センサは、前記ハードウエア要素の設定および／または利用のための信号を前記制御部および／または保守システムに供給することを特徴とするエレベータ装置。
【請求項５】
請求項１ないし４のいずれかに記載のエレベータ装置において、前記制御部は遠隔転送装置を有し、該遠隔転送装置によって、前記メモリ域のデータおよび所属する時間データを外部の読取りユニットまたは評価ユニットに転送し得ることを特徴とするエレベータ装置。
【請求項６】
請求項１ないし５のいずれかに記載のエレベータ装置において、前記保守システムは、密な間隔で続く２つの群の時間データに同じ時間データを付与するユニットを有することを特徴とするエレベータ装置。
【請求項７】
請求項１ないし６のいずれかに記載のエレベータ装置において、前記制御部および／または保守システムはクロックおよび比較器を有し、該比較器は、前記群と対応する時間データがリセットまたは終了されることなく前記保守時点が経過した時に、アラーム信号を生成することを特徴とするエレベータ装置。
【請求項８】
少なくとも１つのデータメモリを有する保守システムを備えたエレベータ装置の保守方法において、
該エレベータにおける、類似した保守計画を有するハードウエア要素または、空間的および/若しくは技術的に結合されるハードウエア要素をいわゆるモジュールとして群にまとめ、該群毎に異なる保守時点を割り当て、該エレベータのための保守システムにおけるデータメモリに該群毎の保守計画を記憶させ、
前記保守システムおよび／または該保守システムに接続する制御部は、前記エレベータのハードウエア要素からセンサ信号を取得し、該ハードウエア要素を含む群についての、および該ハードウエア要素の保守時点と密に接近しているハードウエア要素の群についての少なくとも次の保守時点を該センサ信号に応じて変えることを特徴とするエレベータ装置の保守方法。
【請求項９】
請求項８に記載の方法において、前記モジュールの保守時点は入力装置または遠隔入力装置により可変であることを特徴とする保守方法。
【請求項１０】
請求項８または９に記載の方法において、２つのモジュールの時間的に密に隣接した保守時点を１つにまとめて、１つの新しく生成された保守時点として記憶することを特徴とする保守方法。
【請求項１１】
請求項８ないし１０のいずれかに記載の方法において、前記保守時点がリセットまたは終了することなく経過した時に、前記保守システムによってアラームを生成することを特徴とする保守方法。
【請求項１２】
請求項８ないし１１のいずれかに記載の方法において、前記ハードウエア要素の群毎の保守操作を前記保守システムの１つのメモリ域に記憶することを特徴とする保守方法。

【発明の詳細な説明】
【０００１】
本発明は、保守システムを備えたエレベータ装置と、エレベータ装置の保守方法に関する。
【０００２】
これまでは、エレベータ装置の保守のために、通常は多少とも広範な保守作業を行なう固定的な保守間隔が設定されていた。そのため、比較的少ない頻度の保守を必要とするエレベータ要素が頻繁に点検されることになる。それは、エレベータの保守集約性のハードウエア要素に従って保守間隔が方向決めされるためである。そのため不要な保守コストが発生し、エレベータ装置の運転コストが高コストになる。
【０００３】
したがって、本発明の課題は、エレベータの個別のハードウエア要素に同調させた保守を可能にするエレベータ装置、およびエレベータ装置の保守方法を提供することにある。
【０００４】
この課題は、本発明によれば、請求項１に記載のエレベータ装置ならびに請求項８に記載の保守方法によって解決される。本発明の有利な実施態様は、各従属請求項に示されている。
【０００５】
本発明によれば、保守間隔を定義するためのハードウエア要素は、大体において、同一の保守要求を有するハードウエア要素、または技術的および／もしくは空間的に互いに結合されたハードウエア要素からなる複数の群に区分される。これらの種々の群について、保守データとして不同の保守間隔が保守システムのメモリ域に書き込まれ、これへ入出力装置によってアクセスすることができる。保守システムは、エレベータ制御部の一部であっても、またエレベータ制御部と別体であるがそれに結合されているかまたは結合可能なシステムであってもよい。１つの保守群にまとめられているエレベータのハードウエア要素は、以下、保守モジュールと称する。これらのモジュールのエレベータおよび顧客固有の定義によって、顧客の要望ないしはエレベータ装置のハードウエア要素によってあらかじめ与えられた境界条件を勘案できるので、個別の顧客およびエレベータに固有の保守の最適化が最小の保守コストによって可能となる。
【０００６】
一例として、大体同じ保守要素を有するハードウエア要素同士をまとめるように各ハードウエア要素を定義すると、保守集約的で摩耗しやすいエレベータのハードウエア要素は、保守需要が比較的少ないモジュールのハードウエア要素より頻繁に保守を受けることになる。
【０００７】
エレベータのハードウエア要素は、もちろんこれと別の規準に従った保守モジュールに選択することもできる。たとえば、そうした規準の１つは、ある空間的な結合である。このようにして定義された保守モジュールによれば、有機的に結合された保守作業が実現され、それによってさらに保守コストが低廉になる。この意味では、たとえば点検すべきハードウエア要素の標準群は、１つの基本モジュールにまとめることができよう。このような保守モジュールは、一例として、エレベータのカー、シャフト、スイッチボックス、ケーブルおよび牽引ロープの肉眼による検査によって確認可能なすべての保守作業を含み得る。この基本モジュールは、走行公差の点検をさらに含んでもよく、エレベータ装置の主観的な状態の検知に役立ち得るであろう。基本モジュールは、一例として、２ケ月おきの基本保守モジュールとして、保守システムのメモリ域に格納しておくことができよう。このモジュールには、とくに、ハードウエア要素と、そのハードウエア要素に結合された所属する保守作業とが、その保守作業を実行すべき時点とともに記憶されるであろう。
【０００８】
基本モジュールの場合、２ケ月おきの保守間隔とされ、それに別の保守モジュールを重ねることができよう。その例としては、駆動部のハードウエア要素のすべての潤滑作業、清掃作業および点検作業を包含する保守群としての駆動モジュール、ならびにドアに関連したすべてのハードウエア要素および所属する保守作業を包含するドアモジュールが挙げられるであろう。その他にも、シャフトモジュールは、シャフトのすべてのハードウエア要素、たとえば案内レール、ロープ、スイッチ、走行ヘッドガイド、釣り合い錘ガイド、把持装置、ロープ張力および緩衝装置を含むことができる。その他に、所属する保守作業として、潤滑、清掃および点検が挙げられる。他の保守モジュールとしては、エレベータのすべての電気系統の清掃および点検に関連した電気モジュールが挙げられる。前述の例では、基本モジュールは、２ケ月おきに行なうことができるが、他の保守モジュール、たとえば駆動モジュール、ドアモジュール、シャフトモジュールまたは電気モジュールは、それより長い時間間隔で実行されるであろう。駆動モジュールは、たとえば基本モジュール３回について１回の割合いで、またドアモジュールおよびシャフトモジュールは、それぞれ基本モジュール４回および５回について１回の割合いで行なうことができる。
【０００９】
１つの保守モジュールについての作業の終了後に、入力装置もしくは遠隔入力装置によって対応の保守モジュールを終了するか、もしくはリセットする。これを行なわないと、保守システムは、所属の保守時点を経過した後、アラーム信号を送出する。このアラーム信号は、一例として、遠隔ラインを経てKONE保守システムに導かれる。
【００１０】
この所属の保守時間は、もちろん一定ではなく、本発明の好ましい実施態様によれば、種々のハードウエア要素の状態または設定を点検するセンサにより変えることができる。すなわち、ハードウエア要素の設定および／または利用についての情報を制御部および／または保守システムに供給するセンサを、エレベータの、たとえばいくつかのハードウエア要素に取り付けることができる。これらの信号は、群もしくはモジュール中の時間規定ハードウエア要素の個別の状態に従って、ある群の保守間隔をさらに前方、またはさらに後方にシフトさせるために使用できよう。たとえば外部計画による保守作業を所定のハードウエア要素について行なう場合には、保守モジュールを実行するための日付は、「手動」の入力によってずらすことができる。
【００１１】
保守時点がたとえばセンサデータによってずれた場合、保守システムはとくに、隣接した保守モジュールからの時点を統合して、時間的に密な間隔で保守モジュールが継続する場合の不要な運行コストが掛からないようにする。
【００１２】
制御部および／または保守システムはクロックを有し、実際の時間と実行すべき保守モジュールの時点との時間比較を比較器と協動して行ない、この時間が超過したときにアラーム信号を送出し得るようになっている。
【００１３】
保守モジュールのための時点は、遠隔入力装置によって法定の点検処置、たとえば技術的な監査機関の点検作業に連係させることができる。
【００１４】
修理作業のために、たとえば１つのハードウエア要素を交換する場合、これは、本発明によってとくに保守を考慮した実施態様によれば、入力装置を介して保守システムに入力される。保守システムは直ちに、その保守モジュールまたは時間的に後の保守モジュールからそのハードウエア要素を取り出すことによって、不要な保守作業を行なわないですむようにする。
【００１５】
純粋な保守モジュールの他に、本発明のとくに好ましい実施態様によれば、所要の清掃作業に関連して、各群、いわゆる清掃モジュールにハードウエア要素をまとめることもできる。これらの清掃モジュールは、所属する時点ないし時間間隔を伴った保守モジュールとともに、保守システムないしエレベータ制御部のメモリユニットに格納することができる。
【００１６】
次に、本発明を図面に従って詳細に説明する。
【００１７】
図１はエレベータ装置10を示し、これは保守システム13を備えた昇降制御部12を備えている。昇降制御部12は、エレベータ装置10のハードウエア要素14、たとえば複数のエレベータとその電気的および機械的要素ならびに制御部12自身の要素とを備えている。エレベータ装置のハードウエア要素14は、各々の要素の状態ないし調節についての信号を中央制御装置12に転送する複数のセンサを備えている。保守システムはさらに、２つのメモリ域16、18を有し、メモリ域16には、ハードウエア要素群（モジュール）に所属される保守時間データが記録される。これらの要素群、たとえば基本モジュールBM、ドアモジュールTMおよび駆動モジュールAMは、メモリ域18において正確に特定されている（図２も参照）。同図において、各３個の保守モジュールBM、TMおよびAMは、メモリ域16に割り当てされた所属する保守時間データとともに格納されている。メモリ域18には、ハードウエア要素とともに、ハードウエア要素に対応する保守作業も格納し得る。メモリ域18中の各モジュールの結合形態は、顧客の要望と、取り付けられたエレベータの型式とに従って規制される。保守モジュール18に対応する時間データ16は、ハードウエア要素14のセンサデータを介して、昇降制御部12中の保守システムによって変更される。しかし、種々の保守モジュールの時間的に互いに対し密に近接された時間データは、運行コストを伴う時間的に密な順序の保守作業をしないですむようにするために、同一の保守データによって代替されている。
【００１８】
制御部12および／または保守システム13はその他に、入力装置22と、プリンタ24と、データ転送回路網およびモニタ28のための接続部26とを備えている。保守システムおよび入出力装置22、24および28は、現場に入出力装置を備えずにすむように、主としてエレベータ駆動装置の保守センタにも取り付けることができる。また入出力装置は、必要ならば、保守要員によって可搬型の装置として、保守システムとともに運搬し得るように構成してもよい。
【００１９】
メモリ域18および16への顧客および装置固有の定義、保守モジュールの入力、ならびに所属の保守データの入力の後に、中央制御装置12または保守システム13は、実際のシステム時間（バッテリ・バックアップされた無線式の時計によって与えられる）との比較によって、この保守モジュールの実行を吟味する。これらの保守時間データは、ハードウエア要素14の信号によって内部的に変化する。保守データの変更についての通知は、全体的なモジュールの保守計画すなわちメモリ域16、18の内容と同様に保守センタに、たとえば遠隔転送回路網26を介して再送することができる。ハードウエア要素14からの信号に基づいて、たとえば保守時間の変更の受領を前以て保守センタにデータの遠隔伝送の都度、質問することができる。現場および／または保守センタには入出力装置が配設され、これらによって、保守モジュールの形態を呼び出したり、保守モジュールの定義に対して影響を及ぼしたりすることができる。これにより、エレベータ装置の保守計画を、たとえばエレベータの近代化により変化する条件に適応させることが可能となる。
【００２０】
モジュール保守計画の一例は、図２に示されている。この保守計画では、技術的に対応するハードウエア要素に従って５個の別々の保守モジュールが組み立てられている。左上には、第一義的に肉眼検査による基本モジュールBMがある。その右隣りには、電気的駆動部のすべての関連部分に対応する保守作業を特定する駆動モジュールAMが定義されている。右上には、階およびカーのエレベータドアに関連したすべての保守作業を行なうドアモジュールTMが定義されている。右下には、エレベータ装置の電気的設備に対する保守作業を行なう電気モジュールが定義されている。最後に、左下には、シャフトモジュールSMが定義されている。このシャフトモジュールは、エレベータシャフトの領域内のすべての保守作業、点検作業および清掃作業を包含する。図１によるエレベータ装置において、メモリ域18に格納されたこれらの種々の保守モジュールBM、TM、AM、EMおよびSMについては、保守間隔が定義され、メモリ域16に格納されている。これにより、メモリ域16は、保守時点ないし時間間隔へのモジュールの所属を知ることができる。なお、用意されるモジュールの数および形態について制限は、もちろんない。現場または遠隔のエレベータの監視のみに関する監視モジュールまたは遠隔モジュール、ならびにエレベータのハードウエア要素の特定の群の保守サイクルならびに清掃サイクルを含む清掃モジュールが用意されてもよい。用務員および／または管理者の活動、たとえば教育および期限設定に関するエレベータ管理モジュールをさらに用意してもよい。
【００２１】
保守システム13は、制御部に強く結合されていても、またはその一部分であってもよい。保守システム13は、エレベータのメーカまたは保守担当会社の保守センタに、所属するメモリ16、およびときにはメモリ18とともに構成されていてもよい。この場合は、エレベータ装置は、保守システムとのデータ交換のためのインタフェースを備える。保守システムの主要部分は、可動ユニットにも配設され、現場で技術者によってエレベータ装置に連結される。
【００２２】
ハードウエア要素14からの信号を制御部12または保守システムに供給するセンサとしては、走行回数カウンタ、制動カウンタ、各種摩耗表示装置、制御部の内部検査データならびに安全巡回情報などが適切である。
【図面の簡単な説明】
【図１】  モジュール保守システムを備えたエレベータシステムを示す概略図である。
【図２】  保守システムのメモリ域に格納されたモジュール保守計画を種々の保守モジュールとともに示す。
【図１】
0004413425.tif 000002
【図２】
0004413425.tif 000003